(57)【特許請求の範囲】
【請求項１】
記録媒体上に構築されるファイルシステムを検出するファイルシステム検出手段と、
前記ファイルシステム検出手段により所定のファイルシステム以外のファイルシステムが検出された場合、利用者にその旨を通知し、利用者から入力されたファイル名の利用を決定するファイル名決定手段と、
前記ファイル名決定手段により決定されたファイル名を前記記録媒体に保存するファイル保存手段とを有することを特徴とするファイル記録制御装置。
【請求項２】
前記ファイル名決定手段は、前記ファイルシステム検出手段により前記所定のファイルシステムが検出されると、利用するファイル名を自動的に決定することを特徴とする請求項１記載のファイル記録制御装置。
【請求項３】
前記ファイル名決定手段は、利用者から入力されたファイル名にシーケンス番号を付加したファイル名を生成し、当該ファイル名を最終的なファイル名として決定することを特徴とする請求項１記載のファイル記録制御装置。
【請求項４】
装着される記録媒体へのファイルの保存を制御するファイル記録制御装置と、該ファイル記録制御装置に対する指示を利用者が入力するための入力装置とを有するファイル管理システムであって、
前記ファイル記録制御装置は、
前記記録媒体上に構築されるファイルシステムを検出するファイルシステム検出手段と、
前記ファイルシステム検出手段により所定のファイルシステム以外のファイルシステムが検出された場合、利用者にその旨を通知し、利用者から入力されたファイル名の利用を決定するファイル名決定手段と、
前記ファイル名決定手段により決定されたファイル名を前記記録媒体に保存するファイル保存手段とを有し、
前記ファイル名決定手段は、利用者が前記入力装置により前記通知を受け、前記入力装置上でファイル名を入力すると、該入力されたファイル名の利用を決定することを特徴とするファイル管理システム。
【請求項５】
前記ファイル名決定手段は、前記ファイルシステム検出手段により前記所定のファイルシステムが検出されると、利用するファイル名を自動的に決定することを特徴とする請求項４記載のファイル管理システム。
【請求項６】
前記ファイル名決定手段は、利用者から入力されたファイル名にシーケンス番号を付加したファイル名を生成し、当該ファイル名を最終的なファイル名として決定することを特徴とする請求項４記載のファイル管理システム。
【請求項７】
記録媒体上に構築されるファイルシステムを検出するファイルシステム検出ステップと、
前記ファイルシステム検出ステップにより所定のファイルシステム以外のファイルシステムが検出された場合、利用者にその旨を通知し、利用者から入力されたファイル名の利用を決定するファイル名決定ステップと、
前記ファイル名決定ステップにより決定されたファイル名を前記記録媒体に保存するファイル保存ステップとを有することを特徴とするファイル管理方法。
【請求項８】
前記ファイル名決定ステップでは、前記ファイルシステム検出ステップにより前記所定のファイルシステムが検出されると、利用するファイル名を自動的に決定することを特徴とする請求項７記載のファイル管理方法。
【請求項９】
前記ファイル名決定ステップでは、利用者から入力されたファイル名にシーケンス番号を付加したファイル名を生成し、当該ファイル名を最終的なファイル名として決定することを特徴とする請求項７記載のファイル管理方法。
【請求項１０】
請求項１〜３の何れか１項に記載のファイル記録制御装置、又は、請求項４〜６の何れか１項に記載のファイル管理システムの各手段としてコンピュータを機能させるためのプログラムを記録したことを特徴とするコンピュータ読み取り可能な記録媒体。
【請求項１１】
請求項７〜９の何れか１項に記載のファイル管理方法の処理ステップをコンピュータに実行させるためのプログラムを記録したことを特徴とするコンピュータ読み取り可能な記録媒体。
【請求項１２】
請求項１〜３の何れか１項に記載のファイル記録制御装置、又は、請求項４〜６の何れか１項に記載のファイル管理システムの各手段としてコンピュータを機能させるためのプログラム。
【請求項１３】
請求項７〜９の何れか１項に記載のファイル管理方法の処理ステップをコンピュータに実行させるためのプログラム。
【発明の詳細な説明】
【０００１】
【発明の属する技術分野】
本発明は、記録メディア上に構築されるファイルシステムに応じて利用するファイル名の決定方法を適宜変更するファイル記録制御装置、ファイル管理システム、ファイル管理方法、記録媒体及びプログラムに関するものである。
【０００２】
【従来の技術】
従来、デジタルカメラが撮影した画像をデジタルデータとして記録メディアに記録することは広く知られている。このように記録したデータを管理するために、記録メディアには何らかのファイルシステムが構築されている必要があり、デジタルカメラの場合ではファイルシステムとしてパソコンでも広く使用されているＦＡＴファイルシステムを用いることがほとんどである。
【０００３】
ＦＡＴファイルシステムでは、個々の画像データを、あるファイル名を付けて１つのファイルとして記録する方法が採られることがほとんどである。ファイル名はＦＡＴファイルシステムの仕様上の制限により、ファイル名の本体部分８文字、拡張子部分３文字を用いて表現する。
【０００４】
デジタルカメラは携帯性を重視する必要があるため、ボタン等の入力デバイス及び、液晶ディスプレイ等の表示デバイスは、パソコン等に比べると非常に貧弱なものになる。この貧弱な入出力デバイスを用いてファイル名の入力等を行うのは非現実的である。従って、ユーザの操作負担を軽減するために前記ファイル名はデジタルカメラ側が自動的に生成する。
【０００５】
デジタルカメラによって自動生成するファイル名は、前記文字数制限があるため、何文字かのアルファベットと番号を組にしている場合が多い。例えば、「ABCD0012.JPG」等である。また、デジタルカメラで撮影した画像データを他のデジタルカメラ、パソコン、プリンタ等の機器との間で相互運用を簡便に行う為の規格「カメラファイルシステム規格（ＤＣＦ）」が策定されている。ＤＣＦ規格ではファイル名に関する規定がなされており、前記文字数制限を守るようになっている。
【０００６】
【発明が解決しようとする課題】
しかしながら、前記のような方法によって生成されたファイル名で画像データが記録メディアに記録されていると、ユーザは後でファイル名のみでは、画像データが撮影された日時、場所、状況等を確認をするのが困難である。
【０００７】
パソコン等ではＦＡＴファイルシステムを拡張したＶＦＡＴファイルシステムというファイルシステムも利用されている。このＶＦＡＴファイルシステムでは前記文字数制限が緩和され、終端文字を含めて２５６文字のファイル名が管理可能である。デジタルカメラ等の機器でもＶＦＡＴをサポートすれば、長い、ユーザが分かりやすいファイル名を付けることも可能であるが、ＤＣＦ規格に沿わないファイル名になってしまう。ほとんどのデジタルカメラがＤＣＦ規格に従っている現状では、このＶＦＡＴファイルシステムを用いて長いファイル名を利用可能としたとしても、他の機器との相互運用が非常に困難になるという問題を発生させてしまう。
【０００８】
本発明は、上記問題点に鑑みてなされたものであり、記録メディア上にＦＡＴ以外のファイルシステムが構築されている場合は、ユーザは用途に応じて任意のファイル名を決定すること、他の機器との相互運用等を目的にＤＣＦ規格に従ったファイル名を自動的に付すことを適宜選択することができるファイル記録制御装置、ファイル管理システム、ファイル管理方法、記録媒体及びプログラムを提供することを目的とする。
【０００９】
【課題を解決するための手段】
本発明のファイル記録制御装置は、記録媒体上に構築されるファイルシステムを検出するファイルシステム検出手段と、前記ファイルシステム検出手段により所定のファイルシステム以外のファイルシステムが検出された場合、利用者にその旨を通知し、利用者から入力されたファイル名の利用を決定するファイル名決定手段と、前記ファイル名決定手段により決定されたファイル名を前記記録媒体に保存するファイル保存手段とを有することを特徴とする。
本発明のファイル管理システムは、装着される記録媒体へのファイルの保存を制御するファイル記録制御装置と、該ファイル記録制御装置に対する指示を利用者が入力するための入力装置とを有するファイル管理システムであって、前記ファイル記録制御装置は、前記記録媒体上に構築されるファイルシステムを検出するファイルシステム検出手段と、前記ファイルシステム検出手段により所定のファイルシステム以外のファイルシステムが検出された場合、利用者にその旨を通知し、利用者から入力されたファイル名の利用を決定するファイル名決定手段と、前記ファイル名決定手段により決定されたファイル名を前記記録媒体に保存するファイル保存手段とを有し、前記ファイル名決定手段は、利用者が前記入力装置により前記通知を受け、前記入力装置上でファイル名を入力すると、該入力されたファイル名の利用を決定することを特徴とする。
本発明のファイル管理方法は、記録媒体上に構築されるファイルシステムを検出するファイルシステム検出ステップと、前記ファイルシステム検出ステップにより所定のファイルシステム以外のファイルシステムが検出された場合、利用者にその旨を通知し、利用者から入力されたファイル名の利用を決定するファイル名決定ステップと、前記ファイル名決定ステップにより決定されたファイル名を前記記録媒体に保存するファイル保存ステップとを有することを特徴とする。
【００３１】
【発明の実施の形態】
以下、本発明の実施の形態を添付図面を参照しながら詳細に説明する。
【００３２】
図１は、本発明の一実施形態におけるファイル管理システムの構成を示したブロック図である。本実施形態のファイル管理システムは、本発明のファイル記録制御装置の一例であるデジタルカメラと、入力装置６により構成される。本実施形態のデジタルカメラは、撮影装置１、ファイル保存装置２、ファイル名決定装置４、ファイルシステム検出装置５、表示装置７により構成される。
【００３３】
撮影装置1はレンズ、ＣＣＤ等により画像のデジタルデータを生成する部分である。生成した画像データはファイル保存装置２によって、デジタルスチルカメラ用画像ファイルフォーマット規格(Exif)で定められたフォーマット形式のデータとなるようにＪＰＥＧ圧縮等の加工をした後で、着脱可能な記録メディア３に対して保存を行う。この時、記録メディア３上のファイルシステムによって管理されているファイル名と共に保存する必要があるが、そのファイル名はファイル名決定装置４によって決定したファイル名を用いる。
【００３４】
次に、図２のフローチャートを用いて本実施形態におけるファイル記録制御装置の動作について説明する。ユーザが着脱可能な記録メディア３をデジタルカメラ本体に装着した時点で、ファイルシステム検出装置５は自動的に記録メディア３のファイルシステムが何であるかを検出する（ステップＳ１１）。ここで、従来のファイル名の文字数制限が本体部分８文字、拡張子部分３文字の制限のあるＦＡＴである場合は（ステップＳ１１／ＹＥＳ）、従来技術同様にファイル名決定装置４は自動的にＤＣＦ規格の従ったファイル名を決定するモードであることを内部に記憶する（ステップＳ１２）。
【００３５】
ファイルシステム検出装置５によって検出した結果、ファイルシステムがＦＡＴでない場合は（ステップＳ１１／ＮＯ）、例えば、ファイル名に終端文字を含む２５６文字が利用可能なＶＦＡＴのように長いファイル名が利用可能なファイルシステムが記録メディア３上に構築されていた場合は、まず、ファイル名決定装置４はユーザに対して長いファイル名が利用可能であることを、デジタルカメラ上に実装されている液晶ディスプレイ等の表示装置７を用いて通知する（ステップＳ１３）。次に、ＤＣＦ規格にしたがった従来方式のファイル名生成方法を用いるか、長いファイル名を利用するかのどちらの方法を用いるかをユーザに対して尋ねる（ステップＳ１４）。ユーザはこれに対してデジタルカメラ上に実装されたボタン等の入力装置６を用いて、どちらの方法を利用するかを選択する。
【００３６】
ユーザがＤＣＦ規格にしたがった従来方式のファイル名生成方法を利用することを選択した場合（ステップＳ１４／ＹＥＳ）、前記のファイルシステムがＦＡＴだった場合と同様の動作を行う（ステップＳ１２）。それに対してユーザが長いファイル名を利用することを選択した場合（ステップＳ１４／ＮＯ）、ファイル名決定装置４は長いファイル名を使用するモードであることを内部に記憶する（ステップＳ１５）。
【００３７】
そして、前記の画像保存の際にファイル名決定装置４によってファイル名を決定する状況になった時点で、ファイル名決定装置４の内部に記憶されているモードによってファイル名を決定する。従来のＤＣＦ規格に従うモードであれば、自動的にファイル名を決定する（ステップＳ１６）。このモードでの動作に関しては従来の手法そのままであり、数多くのＤＣＦ規格にしたがったその他の機器との相互運用も問題無く行うことが可能である。
【００３８】
それに対して長いファイル名を利用するモードの場合、ファイル名決定装置４はユーザに対して保存するファイル名を尋ねる（ステップＳ１７）。ユーザにより入力装置６を用いて任意のファイル名が入力されたと判断されると（ステップＳ１８／ＹＥＳ）、保存するファイル名が決定する（ステップＳ１９）。最近ではデジタルカメラにも汎用入出力機器接続用端子としてＵＳＢ等が実装されているため、入力装置６としてＵＳＢキーボード、ＵＳＢマウス等の利用が考えられる。また、ＰＤＡ等で普及しているタッチパネル型ディスプレイをデジタルカメラに搭載し、入力装置として使うことも考えられる。またファイル名決定時、利便性を高めるために、ファイルシステム上のファイル及びディレクトリ操作も可能とする。具体的には、保存するファイルをどのディレクトリに保存するかの選択、任意の名前でのディレクトリ作成、既存のファイル、ディレクトリの名前の変更、ファイルの削除等である。
【００３９】
また、ファイル名決定装置４が長いファイル名を利用するモードにある場合でも、ユーザが従来のＤＣＦ規格に従ったファイル名を利用したい場合は、ファイル保存の時点で入力装置６を用いてある操作をすることで、ファイル名決定装置４はその時点で保存しようとしているファイルについてのみＤＣＦ規格にしたがったファイル名に決定することができる。また、ファイル名決定装置４は、入力装置６からの入力に基づき、その時点以降、ＤＣＦ規格に従ったファイル名を利用することも可能とする。この場合、ファイル名決定装置４の内部に記憶しているモードをＤＣＦ規格に従うモードに変更する。
【００４０】
記録メディア３が長いファイル名を利用可能なファイルシステムであり、且つファイル名決定装置４の内部に記憶されているモードがＤＣＦ規格に従うモードである場合、ファイル名決定装置４は、ユーザによる入力装置６からの入力に基づき、次に保存しようとしているファイルについてのみ長いファイル名を利用することができる。また、ファイル名決定装置４は、ユーザによる入力装置６からの入力に基づき、その時点以降、長いファイル名を利用することを可能とする。この場合、ファイル名決定装置4の内部に記憶しているモードを長いファイル名を利用するモードに変更する。
【００４１】
また、長いファイル名を利用するモードにある場合の前記画像保存の際に、毎回ユーザに対して保存するファイル名を尋ねるのではなく、図3の例で示す形式でユーザの入力によって決定したファイル名にシーケンス番号を付加し、最終的なファイル名を決定する形態にすることも可能である。
【００４２】
この場合、図2に示すフローチャートにおけるユーザに保存ファイル名を尋ねる(ステップS17)からファイル名決定(ステップS19)のシーケンスは前記記録メディア挿入時にステップS15に続いて行う。前記画像保存時にファイル名決定装置4は、ユーザにファイル名を尋ねること無しに前記シーケンスによって決定したファイル名をファイル名のベースとなる部分とし、ファイル名決定装置4に内蔵するカウンタが保持している数字と合わせて図3に示す形式としたものを保存するファイル名とする。保存するファイル名を決定した後、ファイル名決定装置4は内蔵するカウンタの値を1カウントアップし、次のファイル名決定に備える。このカウンタは、ファイル名のベースとなる一部分が入力され、決定される際に0に初期化される。
【００４３】
また、前記デジタルカメラがユーザに対して操作を受け付けている範囲内において任意のタイミングでユーザが前記シーケンス(ステップ17〜ステップ19)を呼び出し、ファイル名のベースとなる部分を設定し直すことができる。ファイル名のベースとなる部分を決定する際の入出力装置6は例えば図4のようなものである。
【００４４】
ユーザがファイル名の入力等の操作を行う入力装置であるボタン群B1と、表示装置となる液晶ディスプレイL1から構成されている。液晶ディスプレイL1は、ユーザに対してファイル名を尋ねるメッセージと共にユーザの入力途中のファイル名を表示する部分であるL11と、前記記録メディアに既に存在しているファイル名を表示する部分であるL12の2つに分割される。L12に表示されるファイル名は、図3で示すファイル名のベースとなる部分のみを表示する。これは、液晶ディスプレイL1の限られた表示スペースを有効に利用するため、同じベース部分を持ちシーケンス番号のみが異なるファイルについては個々のファイル名を表示するのではなく、ファイル名のベースとなる部分のみを表示している。
【００４５】
このように、本実施形態によれば、デジタルカメラにおいて保存する画像のファイルに対して長いファイル名を付けることを可能とし、ユーザの利便性を増すことが可能となる。また、ファイルシステムの自動認識により、従来のＦＡＴファイルシステムの記録メディアを利用した場合には自動的に従来のＤＣＦ規格に従った動作を行うことで、今現在普及している他の機器との相互運用に関しても問題無く行うことが可能である。ＶＦＡＴファイルシステムのように長いファイル名を利用可能なファイルシステムの記録メディアを利用している場合でも、ユーザによって、長いファイル名を利用するか、ＤＣＦ規格のファイル名を利用するかを選択可能であり、部分的に他の機器とのＤＣＦ規格に従った相互運用を行うことも可能となる。
【００４６】
また、以上の実施形態では、記録メディア３のファイルシステムがＦＡＴ又はＶＦＡＴであるときについて説明しているが、本発明は、これに限定されない。例えば、図２のステップＳ１１でファイルシステムがＦＡＴであるか否かを判断しているが、ここではＦＡＴ以外のファイルシステムとしてもよく、ステップＳ１１で判断する対象となるファイルシステムをユーザや設計者によって適宜設定し、後段ではそのファイルシステムで管理されるファイル名を自動的に付すように構成することもできる。そして、そのファイルシステム以外ではユーザは任意にファイル名を指定するように構成することもできる。
【００４７】
上述した実施形態の機能を実現するべく各種のデバイスを動作させるように、該各種デバイスと接続された装置あるいはシステム内のコンピュータに対し、上記実施形態の機能を実現するためのソフトウェアのプログラムコードを供給し、そのシステムあるいは装置のコンピュータ（ＣＰＵあるいはＭＰＵ）に格納されたプログラムに従って上記各種デバイスを動作させることによって実施したものも、本発明の範疇に含まれる。
【００４８】
また、この場合、上記ソフトウェアのプログラムコード自体が上述した実施形態の機能を実現することになり、そのプログラムコード自体、およびそのプログラムコードをコンピュータに供給するための手段、例えばかかるプログラムコードを格納した記録媒体は本発明を構成する。かかるプログラムコードを記憶する記録媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
【００４９】
また、コンピュータが供給されたプログラムコードを実行することにより、上述の実施形態の機能が実現されるだけでなく、そのプログラムコードがコンピュータにおいて稼働しているＯＳ（オペレーティングシステム）あるいは他のアプリケーションソフト等と共同して上述の実施形態の機能が実現される場合にもかかるプログラムコードは本発明の実施形態に含まれることは言うまでもない。
【００５０】
さらに、供給されたプログラムコードがコンピュータの機能拡張ボードやコンピュータに接続された機能拡張ユニットに備わるメモリに格納された後、そのプログラムコードの指示に基づいてその機能拡張ボードや機能拡張ユニットに備わるＣＰＵ等が実際の処理の一部または全部を行い、その処理によって上述した実施形態の機能が実現される場合にも本発明に含まれることは言うまでもない。
【００５１】
【発明の効果】
本発明によれば、所定のファイルシステム以外のファイルシステムが記録媒体上に構築されることを検出した場合、利用者にその旨を通知し、利用者から入力されたファイル名の利用を決定するように構成しているので、例えば、記録媒体に保存するファイルがデジタルカメラで撮影した画像データであれば、そのファイルの作成日時、撮影場所等をファイル名で管理することが可能となり、利用者の利便性を向上することができる。
【図面の簡単な説明】
【図１】本発明の一実施形態におけるファイル記録制御装置の概略構成を示したブロック図である。
【図２】本発明の一実施形態におけるファイル記録制御装置の動作の流れを示したフローチャートである。
【図３】本発明の一実施形態におけるファイル名の一例を示した図である。
【図４】本発明の一実施形態におけるファイル名入力の際に使用するユーザインタフェースの一例を示した図である。
【符号の説明】
１  撮影装置
２  ファイル保存装置
３  記録メディア
４  ファイル名決定装置
５  ファイルシステム検出装置
６  入力装置
７  表示装置
Ｌ１  液晶ディスプレイ
Ｂ１  ボタン群
【図１】
0004072345.tif 000002
【図２】
0004072345.tif 000003
【図３】
0004072345.tif 000004
【図４】
0004072345.tif 000005